(57)【要約】      （修正有）【課題】防水及び絶縁効果を備えると共に、積木ベース部材と組み合わせると、装飾効果を発揮できる発光積木を提供する。【解決手段】透明な飾り積木部材と、複数の第一片方向電気接続部材２０と、複数の第二片方向電気接続部材３０とを有し、その内、該飾り積木部材は、一端に防水絶縁飾り部１０１等が設けられ、他端に複数の挿嵌部１１等が形成され、内部に制御基板１２が設置され、該制御基板上に発光素子が取り付けられる。該第一片方向電気接続部材はそれぞれ、前記制御基板を受け入れて前記挿嵌部から突出する中空チューブ２１と、一端が該中空チューブから突出するように、該中空チューブ内部に挿設される電気接続ロッドと、該中空チューブ内部に設置される。さらに、前記制御基板と接続される導線とを備え、該第二片方向電気接続部材は、前記制御基板と接続するように、前記装飾積木部材１０の挿嵌部１１等に設置されるものである。【選択図】図２
0003175376.tif 000002
【実用新案登録請求の範囲】
【請求項１】
一端に設けられる防水絶縁装飾部と、他端に形成される複数の挿嵌部と、内部に設置され、該各挿嵌部と対応する複数の挿嵌孔が形成される制御基板と、該制御基板上に取り付けられる発光素子とを備える透明な装飾積木部材と、
収容孔が形成されると共に、前記制御基板の挿嵌孔に挿設され、一端が前記挿嵌部から突出する中空チューブと、該中空チューブに挿設されると共に、一端が該収容孔から突出する電気接続ロッドと、該中空チューブの内部に、一端が該中空チューブの内面と当接すると共に、他端が該電気接続ロッドと当接するように設置され、前記制御基板と接続される導線を備える圧縮ばねとを備える複数の第一片方向電気接続部材と、
前記制御基板と接続するように、前記装飾積木部材の挿嵌部に設置される複数の第二片方向電気接続部材と、を有することを特徴とする防水及び絶縁機能を備える装飾用発光積木。
【請求項２】
前記防水絶縁飾り部は、前記装飾積木部材の上端に設けられ、前記各挿嵌部は、前記装飾積木部材の底部に凹設された挿嵌孔であり、
前記中空チューブは、前記挿嵌部から突出するように、前記制御基板の挿嵌孔に挿設されることを特徴とする請求項１に記載の防水及び絶縁機能を備える装飾用発光積木。
【請求項３】
前記防水絶縁装飾部は、屋根の形状を呈し、前記装飾積木部材と一体に成形されることを特徴とする請求項２に記載の防水及び絶縁機能を備える装飾用発光積木。
【請求項４】
前記第二片方向電気接続部材がＵ字形の金属線であることを特徴とする請求項３に記載の防水及び絶縁機能を備える装飾用発光積木。
【請求項５】
前記装飾積木部材の底部に防水絶縁装飾部が設置されると共に、上部に複数の挿嵌部が設けられ、該各挿嵌部が円筒状を呈することを特徴とする請求項１に記載の防水及び絶縁機能を備える装飾用発光積木。
【請求項６】
前記防水絶縁装飾部が円盤状を呈し、前記装飾積木部材の底部に一体に成形されることを特徴とする請求項５に記載の防水及び絶縁機能を備える装飾用発光積木。
【請求項７】
前記第二片方向電気接続部材がテーパー状を呈することを特徴とする請求項６に記載の防水及び絶縁機能を備える装飾用発光積木。
【請求項８】
前記中空チューブの側壁に導線孔が形成され、前記導線が該導線孔を通って前記制御基板と接続することを特徴とする請求項１ないし７の何れか１項に記載の防水及び絶縁機能を備える装飾用発光積木。
【請求項９】
前記電気接続ロッドは、前記中空チューブの収容孔から突出する小径部と、前記中空チューブ内に位置する大径部とを備えることを特徴とする請求項１ないし７の何れか１項に記載の防水及び絶縁機能を備える装飾用発光積木。
【請求項１０】
前記電気接続ロッドは、前記中空チューブの収容孔から突出する小径部と、前記中空チューブ内に設置される大径部とを備えることを特徴とする請求項８に記載の防水及び絶縁機能を備える装飾用発光積木。
【考案の詳細な説明】
【技術分野】
【０００１】
本考案は、特に防水効果、絶縁効果及び装飾効果を提供する発光積木に関するものである。
【背景技術】
【０００２】
近年の電子技術や機械技術の発展に伴い、玩具産業では、子供がより楽しめる様々な新製品が次々に開発されているが、伝統的な玩具にも人気を博しているものが多く、例えば、その代表的なものが積木であり、それは主に凹凸の部材を組み合せることによって、多数の積木を積み重ねたり、並べたりして様々な形状に作り上げるものであり、既定の遊び方や規則性がないので、幼児の発想力や想像力を養うと共に、幼児の手や目の訓練にも役立つ。
【０００３】
従来の積木は、特殊な形状を作るために、基本的な積木ベース部材と、積木ベース部材と組み合わせて、家や車などを構成するための装飾積木部材との２種類を備え、また、それら積木部材を組み合わせる時は、先ず複数の積木ベース部材を組み合わせて半製品を作り、装飾積木部材を用いて半製品と組み合わせれば、所望の製品を完成できることから、従来の積木は、組み合わせ方によって、多様な形状を作ることができるので、消費者に広く親しまれている。
【０００４】
また、従来の積木の楽しさをより増大させるために、図８に示すように、従来の積木を改良した発光可能な積木が開発された。その発光積木は、透明な積木部材７０と、該積木部材７０の内部に設置される複数の第一双方向電気接続部材８０及び複数の第二双方向電気接続部材９０とを有し、その内、該積木部材７０の内部に制御基板７１が設けられると共に、上部及び底部にそれぞれ、対応し合う複数の挿嵌部７２が設けられ、該制御基板７１に発光素子７４が設置され、更に、該制御基板７１における、底部の挿嵌部７２と対応する位置に、複数の貫通孔７１１が形成される。
【０００５】
前記複数の第一双方向電気接続部材８０はそれぞれ、前記挿嵌部７２に対応するように積木部材７０内に設置されると共に、中空チューブ８１と、２つの電気接続柱８２と、圧縮ばね８３とを備え、その内、中空チューブ８１は、下端が前記制御基板７１の貫通孔７１１に挿嵌されるように、前記積木部材７０の底部における挿嵌部７２に設置されると共に、上端が該積木部材７０の上部の挿嵌部７２内に位置し、更に、上部及び下部にそれぞれ収容孔８１１が形成され、また、該２つの電気接続柱８２はそれぞれ、該中空チューブ８１の上部及び下部の収容孔８１１に位置するように設置され、該圧縮ばね８３は、前記第一双方向電気接続部材８０内における２つの電気接続柱８２の間に位置すると共に、該中空チューブ８１を通過して前記制御基板７１に接続される導線（図示せず）を備える。
【０００６】
前記複数の第二双方向電気接続部材９０はそれぞれ、前記第一双方向電気接続部材８０の上部外周に環装されると共に、底部に前記制御基板７１の底部を通過する金属線９１が設けられ、該金属線９０は、前記積木部材７０の底部における、挿嵌部７２と対応する箇所に、折り返し部９２が形成されると共に、前記制御基板７１と接続する。
【０００７】
尚、本実施例においては、前記積木部材７０の上部における挿嵌部７２が挿嵌柱であり、下部の挿嵌部７２が挿嵌孔であることが好ましいが、上部の挿嵌部７２が挿嵌孔であり、下部の挿嵌部７２が挿嵌柱であっても構わない。
【０００８】
既存の発光積木を用いて何かを組み立てる時は、積木部材７０の上部の挿嵌部７２と他の積木部材７０の下部の挿嵌部７２と組み合わせれば、下側の積木部材７０の電気接続柱８２が上側の積木部材７０の電気接続柱８２と接続されると共に、下側の積木部材７０の第二双方向電気接続部材９０が上側の積木部材７０の折り返し部９２と接続されることから、それら積木部材７０を互いに接続することができるので、電源を入れれば、積木を発光させることができる。
【０００９】
積木は、決まった数量や組み合わせがなく、人間の創造力によって、自由に組み合わせられるものであることから、既存の発光積木は、幾つか積木部材７０を自由に組み合わせると、それら積木部材７０を電気接続して発光することができるために、該積木部材７０の上部及び下部から突出するように、隣の積木部材と連結するための第一双方向電気接続部材８０及び第二双方向電気接続部材９０を設置する技術手段を有する。
【考案の概要】
【考案が解決しようとする課題】
【００１０】
しかしながら、既存の発光積木は、積木部材の上部及び底部に第一双方向電気接続部材及び第二双方向電気接続部材を露出させるための開口を備えることから、水を有する室内や戸外などに置いておいた場合、水が積木部材の内部に浸入し、内部の電子部材や回路を破壊する虞があった。
【課題を解決するための手段】
【００１１】
本考案に係る防水及び絶縁機能を備える装飾用の発光積木は、一端に設けられる防水絶縁装飾部と、他端に形成される複数の挿嵌部と、内部に設置され、該各挿嵌部と対応する複数の挿嵌孔が形成される制御基板と、該制御基板上に取り付けられる発光素子とを備える透明な装飾積木部材と、収容孔が形成されると共に、前記制御基板の挿嵌孔を受け入れ、一端が前記挿嵌部から突出する中空チューブと、該中空チューブに挿設されると共に、一端が該収容孔から突出する電気接続ロッドと、該中空チューブの内部に、一端が該中空チューブの内面と当接すると共に、他端が該電気接続ロッドと当接するように設置され、前記制御基板と接続される導線を備える圧縮ばねとを備える複数の第一片方向電気接続部材と、前記制御基板と接続するように、前記装飾積木部材の挿嵌部に設置される複数の第二片方向電気接続部材と、を有するものである。
【００１２】
前記防水絶縁飾り部は、前記装飾積木部材の上端に設けられ、前記各挿嵌部は、前記装飾積木部材の底部に凹設された挿嵌孔であり、前記中空チューブは、前記挿嵌部から突出するように、前記制御基板の挿嵌孔に挿設されてもよい。
【００１３】
前記防水絶縁装飾部は、屋根の形状を呈し、前記装飾積木部材と一体に成形されても構わない。
【００１４】
前記第二片方向電気接続部材がＵ字形の金属線であっても構わない。
【００１５】
前記装飾積木部材の底部に防水絶縁装飾部が設置されると共に、上部に複数の挿嵌部が設けられ、該各挿嵌部が円筒状を呈してもよい。
【００１６】
前記防水絶縁装飾部が円盤状を呈し、前記装飾積木部材の底部に一体に成形されてもよい。
【００１７】
前記第二片方向電気接続部材がテーパー状を呈してもよい。
【００１８】
前記中空チューブの側壁に導線孔が形成され、前記導線が該導線孔を通って前記制御基板と接続することが好ましい。
【００１９】
前記電気接続ロッドは、前記中空チューブの収容孔から突出する小径部と、前記中空チューブ内に位置する大径部とを備えることが好ましい。
【考案の効果】
【００２０】
本考案に係る防水及び絶縁機能を備える装飾用発光積木は上記の如く、装飾積木部材の上部又は下部に防水絶縁装飾部が設けられることから、装飾積木部材により装飾効果、及び防水効果を提供でき、また、装飾積木部材の内部に、積木ベース部材の第一双方向電気接続部材及び第二双方向電気接続部材と接続するための第一片方向電気接続部材及び第二片方向電気接続部材が設置されることから、装飾積木部材と積木ベース部材とを組み合わせれば回路を構成できるので、電源を入れると発光素子が発光する特殊な形状を作成できる発光積木を提供することができる。
【図面の簡単な説明】
【００２１】
【図１】本考案に係る防水及び絶縁機能を備える装飾用発光積木の第一実施例を示す底面視斜視図である。
【図２】図１に係るＡ-Ａ方向の側面断面図である。
【図３】図１に係るＢ-Ｂ方向の側面断面図である。
【図４】本考案に係る防水及び絶縁機能を備える装飾用発光積木の第二実施例を示す上面視斜視図である。
【図５】図４に係るＡ-Ａ方向の側面断面図である。
【図６】図４に係るＢ-Ｂ方向の側面断面図である。
【図７】本考案に係る防水及び絶縁機能を備える装飾用発光積木の第一実施例及び第二実施例において、装飾積木部材がそれぞれ積木ベース部材の上部及び下部に組み立てられた状態を示す側面断面図である。
【図８】既存の発光積木において複数の積木ベース部材を組み合わせる状態を示す側面断面図である。
【考案を実施するための形態】
【００２２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２３】
図１及び図２に示すように、本考案に係る防水及び絶縁機能を備える装飾用発光積木における第一実施例は、中空で透明な装飾積木部材１０を有し、該装飾積木部材１０の内部に、複数の第一片方向電気接続部材２０及び複数の第二片方向電気接続部材３０が設けられる。
【００２４】
前記飾り積木部材１０は、上部に防水絶縁装飾部１０１が設けられると共に、底部に複数の挿嵌部１１が形成され、内部に該複数の挿嵌部１１と対応する複数の挿嵌孔１２１を有する制御基板１２が設置され、該制御基板１２上に発光素子１３が取り付けられる。なお、前記挿嵌部１１は、前記装飾積木部材１０の底部に凹設される挿嵌孔であり、前記防水絶縁装飾部１０１は、三角屋根の形状を呈し、積木ベース部材の上部と組み合わせると、家や城などの屋根とすることができる。尚、この防水絶縁装飾部１０１は、何れの形状としても構わなく、前記装飾積木部材１０の上部と一体に成形しても構わない。
【００２５】
図３に示すように、前記第一片方向電気接続部材２０は、前記制御基板１２に設置され、中空チューブ２１と、電気接続ロッド２２と、圧縮ばね２３とを備え、その内、該中空チューブ２１は、前記制御基板１２の挿嵌孔１２１に挿設されるように前記挿嵌部１１から突出し、その底部に収容孔２１１が形成され、該電気接続ロッド２２は、中空チューブ２１の内部底部に設置されると共に、下端が収容孔２１１から挿嵌部１１に突出し、該圧縮ばね２３は、該中空チューブ２１の収容孔２１１の上部に設置され、上端が該中空チューブ２１の内部上面に、下端が該電気接続ロッド２２の上端に当接されると共に、該中空チューブ２１を通って前記制御基板１２と接続する導線２３１を備える。
【００２６】
また、本実施例においては、前記中空チューブ２１の側壁に導線孔２１２が形成され、前記導線２３１がその導線孔２１２を通って制御基板１２と接続され、一方、前記電気接続ロッド２２は、前記中空チューブ２１の収容孔２１１から前記挿嵌部１１に突出する小径部２２１と、前記中空チューブ２１内に設置される大径部２２２とを備える。
【００２７】
前記第二片方向電気接続部材３０は、その中間部分が折り返されて挿嵌部１１に突出するように、前記装飾積木部材１０の制御基板１２に設置される。尚、前記第二片方向電気接続部材３０は、Ｕ字形の金属線であってもよい。
【００２８】
図４乃至図６に示すように、本考案に係る防水及び絶縁機能を備える装飾用発光積木に係る第二実施例は、殆ど第一実施例と同一であるが、装飾積木部材１０の上部に複数の中空柱状の挿嵌部１５が設けられると共に、底部に防水絶縁装飾部１０２が設けられ、制御基板１２の挿嵌孔１２１がそれぞれ、挿嵌部１５の下方と対応し、また、その防水絶縁装飾部１０２が絶縁材質からなり、装飾積木部材１０の底部と一体に成形される点において異なる。尚、前記防水絶縁装飾部１０２は、やや円盤状を呈することから、積木を組み立てる時に車などのタイヤとして使用でき、また、防水効果と絶縁効果を備えることから、水を有する場所に置いても問題はない。
【００２９】
さらに、第二実施例においては、第一片方向電気接続部材２０における中空チューブ２１の上部に収容孔２１３が形成され、その中空チューブ２１の底部が制御基板１２の挿嵌孔１２１に挿嵌されると共に、上端が装飾積木部材１０の挿嵌部１５から突出し、一方、電気接続ロッド２２は、該中空チューブ２１の上部に挿設され、上端が収容孔２１３から挿嵌部１５内に突出し、圧縮ばね２３は、上端が電気接続ロッド２２に、下端が中空チューブ２１の内部底面に当接される。また、前記中空チューブ２１の側壁に導線孔２１２が形成され、導線２３１は、その導線孔２１２を通って制御基板１２と接続され、前記各電気接続ロッド２２は、前記中空チューブ２１の収容孔２１３から挿嵌部１５に突出する小径部２２１と、前記中空チューブ２１に設置される大径部２２２とを備える。
【００３０】
前記第二実施例における第二片方向電気接続部材３０は、挿嵌部１５に位置するように、第一片方向電気接続部材２０の中空チューブ２１の上部側壁に固定され、その底端に制御基板１２と接続する導線３１が設置される。尚、本実施例における第二片方向電気接続部材３０は、テーパー状のばねである。
【００３１】
図７に示すように、本考案に係る防水及び絶縁機能を備える装飾用発光積木において、第一実施例及び第二実施例が積木ベース部材７０における上部及び下部に組み立てられる状態であり、その積木ベース部材７０は、第一双方向電気接続部材８０及び第二双方向電気接続部材９０を備えるものである。
【００３２】
先ず、その第一実施例と積木ベース部材７０との仕組みを説明する。該第一実施例における装飾積木部材１０の挿嵌部１１を積木ベース部材７０の上部における挿嵌部７２と対応するように組み合わせ、その積木ベース部材７０の上部における挿嵌柱である挿嵌部７２を、単に第一実施例の装飾積木部材１０の挿嵌孔である挿嵌部１１に挿設すれば、第一双方向電気接続部材８０の電気接続柱８２が第一実施例の第一片方向電気接続部材２０の電気接続ロッド２２と接続されると共に、第二双方向電気接続部材９０が第一実施例の第二片方向電気接続部材３０と接続される。この構造によれば、第一実施例が積木ベース部材７０と電気接続することができ、電源を入れると、屋根としての装飾効果を備える発光可能な積木を提供できる。また、第一実施例の上部に防水絶縁装飾部１０１が設けられることから、防水効果を備え、水を有する場所に置いても、水が積木の上方から内部に入ることを防止でき、且つ積木内部の電子部材を保護することもできる。
【００３３】
次に、前記第二実施例と積木ベース部材７０との仕組みを説明する。その第二実施例における装飾積木部材１０の挿嵌部１５を積木ベース部材７０の下部における挿嵌部７２と対応するとうに組み合わせ、該第二実施例における装飾積木部材１０の柱状の挿嵌部１５を、単に積木ベース部材７０の下部の挿嵌孔である挿嵌部７２に挿設すれば、第二実施例の第一片方向電気接続部材２０の電気接続ロッド２２が第一双方向電気接続部材８０の電気接続柱８２と接続される共に、第二実施例の第二片方向電気接続部材３０が制御基板７１を通って下側へ突出する第二双方向電気接続部材９０の折り返し部９２と接続される。この構造によれば、第二実施例が積木ベース部材７０と電気接続することから、電源を入れると、車などのタイヤとして装飾効果を備える発光可能な積木を提供できる。また、第二実施例の下部に防水絶縁装飾部１０２が設けられることから、防水効果を備え、水を有する場所に置いても、水を積木の下方から内部に入ることが防止でき、且つ積木内部の電子部材を保護することもできる。
【００３４】
上述したように、本考案は主に、装飾積木部材１０の上部に防水絶縁装飾部１０１が設けられる第一実施例、及び装飾積木部材１０の下部に防水絶縁装飾部１０２が設けられる第二実施例を有すると共に、それら実施例における装飾積木部材１０の内部に、積木ベース部材７０の第一双方向電気接続部材８０及び第二双方向電気接続部材９０と接続するための第一片方向電気接続部材２０及び第二片方向電気接続部材３０が設置されることによって、幾つか積木ベース部材７０を組み合わせた半製品の上部或いは下部にそれぞれ、第一実施例の装飾積木部材１０及び第二実施例の装飾積木部材１０を組み合わせれば、第一実施例及び第二実施例における装飾積木部材１０の内部の第一片方向電気接続部材２０及び第二片方向電気接続部材３０がそれぞれ、積木ベース部材７０の第一双方向電気接続部材８０及び第二双方向電気接続部材９０と接続されて回路を構成することから、その回路に電源を入れると、積木製品を発光させることができる。また、その積木製品の上部及び下部にはそれぞれ、防水効果を有する防水絶縁装飾部１０１、１０２を備えることから、上方或いは下方から積木内部に水が浸入することはないので、積木内部の電子部材及び回路を保護することができる。
【産業上の利用可能性】
【００３５】
本考案は上記の構成を有し、装飾積木部材の上部又は下部に防水絶縁装飾部が設けられることから、装飾積木部材に装飾効果を提供すると共に、水の浸入を防止でき、また、装飾積木部材の内部に、積木ベース部材の第一双方向電気接続部材及び第二双方向電気接続部材と接続するための第一片方向電気接続部材及び第二片方向電気接続部材が設置されることから、装飾積木部材と積木ベース部材と組み合わせれば回路を構成できるので、電源を入れると、発光素子が発光する特殊な形状を作成できる発光積木を提供することができる。
【符号の説明】
【００３６】
１０    装飾積木部材
１０１、１０２    防水絶縁装飾部
１１    挿嵌部
１２    制御基板
１２１  挿嵌孔
１３    発光素子
１５    挿嵌部
２０    第一片方向電気接続部材
２１    中空チューブ
２１１  収容孔
２１２  導線孔
２１３  収容孔
２２    電気接続ロッド
２２１  小径部
２２２  大径部
２３    圧縮ばね
２３１  導線
３０    第二片方向電気接続部材
３１    導線
７０    積木ベース部材
７１    制御基板
７１１  貫通孔
７２    挿嵌部
７４    発光素子
８０    第一双方向電気接続部材
８１    中空チューブ
８１１  収容孔
８２    電気接続柱
８３    圧縮ばね
９０    第二双方向電気接続部材
９１    金属線
９２    折り返し部
【図１】
0003175376.tif 000003
【図２】
0003175376.tif 000004
【図３】
0003175376.tif 000005
【図４】
0003175376.tif 000006
【図５】
0003175376.tif 000007
【図６】
0003175376.tif 000008
【図７】
0003175376.tif 000009
【図８】
0003175376.tif 000010